(57)【要約】【課題】点状光源の発光面と導光板の入射面とを接触させる面状光源装置において、点状光源の発光領域が導光板の入射面からずれることによる入射効率の低下や、表示品位の低下を防止するとともに、組み立て作業が容易な面状光源装置を提供する。【解決手段】点状光源２は、発光面９１の一辺において、発光面９１に対して垂直な方向に突出する庇状部８０を有し、発光面９１が導光板１の入射面６に対面するように配置した状態で、導光板１の出射面７に庇状部８０の主面が接するように構成されている。庇状部８０が導光板１の出射面７上に係合することで、導光板１に反りなどの変形が生じた場合でも、点状光源２の発光面９１と導光板１の入射面６との位置ずれが抑制でき、万が一、位置ずれが生じた場合でも、庇状部８０の存在により洩れた光が反射され、導光板１の入射面６に洩れた光を導くことができる。【選択図】図３
2007329073.tif 000002
【特許請求の範囲】
【請求項１】
２つの主面のそれぞれが、光を出射する出射面と、該出射面とは反対側の反射面とを構成する平板状の導光板と、
前記導光板の少なくとも１つの側面上に配設された点状光源と、を備え、
前記点状光源が配設される前記少なくとも１つの側面が、光の入射面を構成し、
前記点状光源は、
ブロック状の本体部に光源が収納され、前記本体部の１つの面が、前記光源の発光部が露出する発光面を構成し、前記発光面の一辺から、前記発光面に対して垂直な方向に突出する第１の庇状部を少なくとも有し、
前記発光面が前記入射面に対面するように前記点状光源が配置された状態で、前記出射面または前記反射面に前記第１の庇状部の主面が接する、面状光源装置。
【請求項２】
前記点状光源は、
前記第１の庇状部が突出する前記発光面の前記一辺と対をなす辺から、前記発光面に対して垂直な方向に突出する第２の庇状部を有し、
前記発光面が前記入射面に対面するように前記点状光源が配置された状態で、前記出射面に前記第１の庇状部の主面が接し、前記反射面に前記第２の庇状部の主面が接する、請求項１記載の面状光源装置。
【請求項３】
前記導光板の前記出射面または前記反射面は、少なくとも前記第１の庇状部の前記主面が接する部分が、前記第１の庇状部の厚さに相当する深さ以上に窪んだ凹部を含む、請求項１記載の面状光源装置。
【請求項４】
前記導光板の前記出射面は、少なくとも前記第１の庇状部の前記主面が接する部分が、前記第１の庇状部の厚さに相当する深さ以上に窪んだ第１の凹部を含み、
前記導光板の前記反射面は、少なくとも前記第２の庇状部の前記主面が接する部分が、前記第２の庇状部の厚さに相当する深さ以上に窪んだ第２の凹部を含む、請求項２記載の面状光源装置。
【請求項５】
２つの主面のそれぞれが、光を出射する出射面と、該出射面とは反対側の反射面とを構成する平板状の導光板と、
前記導光板の少なくとも１つの側面上に配設された点状光源と、を備え、
前記点状光源が配設される前記少なくとも１つの側面が、光の入射面を構成し、
前記点状光源は、
ブロック状の本体部に光源が収納され、前記本体部の１つの面が、前記光源の発光部が露出する発光面を構成し、前記発光面の対となった二辺から、それぞれ前記発光面に平行な方向に延在するように突出する平板状の第１および第２の切片部を有し、
前記導光板は、
前記入射面から垂直に突出する第１および第２の凸部を有し、
前記発光面が前記入射面に対面するように前記点状光源を配置することで、前記第１および第２の切片部が、前記第１および第２の凸部に係合する、面状光源装置。
【請求項６】
前記第１および第２の切片部は、それぞれ前記第１および第２の切片部を厚み方向に貫通するように設けられた第１および第２の貫通孔を有し、
前記発光面が前記入射面に対面するように前記点状光源を配置することで、前記第１および第２の貫通孔に、前記第１および第２の凸部が挿入される、請求項５記載の面状光源装置。
【請求項７】
前記第１および第２の切片部は、それぞれ前記発光面の前記対となった二辺の一部から突出し、その突出位置は前記対となった二辺において同じ位置であって、
前記第１および第２の凸部は、前記入射面の前記出射面側寄りの位置において突出し、その突出間隔は、前記点状光源の前記本体部の一方向の長さとほぼ同じであって、
前記発光面が前記入射面に対面するように前記点状光源を配置することで、前記第１および第２の凸部に前記本体部が挟まれるとともに、前記第１および第２の切片部の側面が前記第１および第２の凸部の側面に当接する、請求項５記載の面状光源装置。
【請求項８】
前記第１および第２の切片部は、それぞれ前記発光面の前記対となった二辺の一部から突出し、その突出位置は前記対となった二辺において互い違いとなる位置であって、
前記第１および第２の凸部は、一方が、前記入射面の前記出射面側寄りの位置において突出し、他方が、前記入射面の前記反射面側寄りの位置において突出し、その突出間隔は、前記点状光源の前記本体部の一方向の長さとほぼ同じであって、
前記発光面が前記入射面に対面するように前記点状光源を配置することで、前記第１および第２の凸部に前記本体部が挟まれるとともに、前記第１および第２の切片部の側面が前記第１および第２の凸部の側面に当接する、請求項５記載の面状光源装置。
【発明の詳細な説明】
【技術分野】
【０００１】
本発明は面状光源装置に関し、特に液晶表示装置に使用される面状光源装置に関する。
【背景技術】
【０００２】
液晶表示装置は、一般に、液晶パネルと面状光源装置とを備え、面状光源装置は液晶パネルの背面側に配設されている。液晶パネルの背面から光を照射する面状光源装置においては、光源配置の違いにより、サイドライト方式や直下型と呼称される方式がある。
【０００３】
サイドライト方式（エッジライト方式とも称される）の面状光源装置は、光源を液晶表示装置内の側面よりの位置に配置し、直下型の面状光源装置では光源を、液晶パネルの背面に対向する位置に配置する構成となっている。
【０００４】
サイドライト方式の面状光源装置では、光源からの光を受けて、内部で拡散させることで、液晶パネルの裏面に均一な光を供給する導光板を用いるものがある。
【０００５】
導光板を用いる面状光源装置では、冷陰極管（CCFL：Cold Cathode Fluorescent Lamp）などの線状光源、または発光ダイオード（LED：Light Emitting Diode）などの点状光源を有するサイドライト部から射出された光を、導光坂内において反射させ、導光板に備わる拡散パターンで拡散させることで、導光板の主面から面状の光を取り出す構成となっている。
【０００６】
ここで、ＬＥＤなどの点状光源を用いたサイドライト方式の面状光源装置では、例えば特許文献１に示されるように、点状光源の発光面と導光板の入射面とを接触させて配置する構成が提案されている。
【０００７】
このような構成を採る面状光源装置では、導光板に点状光源の発光領域から出射した光を効率良く入射することができるので、導光板への入射効率を損なうことがない。
【０００８】
しかし、一方で、導光板に反りが発生すると、点状光源の発光領域が導光板の入射面からずれてしまい、入射効率が低下するという問題や、表示品位が低下するという問題があった。
【０００９】
また、導光板の反りによる入射効率の低下を防止する方法として、例えば特許文献２に開示されるように、導光板の側面に突起を設けて筐体と係合させることで導光板の反りを抑制する構成が提案されている。
【００１０】
しかし、このような構成を採る場合でも、点状光源の発光領域が導光板の入射面からずれた場合には、入射効率が低下するという問題や、表示品位が低下するという問題が発生する。
【００１１】
また、筐体に導光板の反りを矯正する剛性が必要となるため、液晶表示装置が大型化することや、組み立て性が低下するといった問題もあった。さらには、導光板と筐体とを係合させる際に、導光板と筐体とが擦れて異物が発生し、表示不良の原因となるという問題も有していた。
【００１２】
【特許文献１】特開２００５−７９０３８号公報
【特許文献２】特開２００５−２４３５３３号公報
【発明の開示】
【発明が解決しようとする課題】
【００１３】
本発明は上記のような問題点を解消するためになされたもので、点状光源の発光面と導光板の入射面とを接触させる面状光源装置において、点状光源の発光領域が導光板の入射面からずれることによる入射効率の低下や、表示品位の低下を防止するとともに、組み立て作業が容易な面状光源装置を提供することを目的とする。
【課題を解決するための手段】
【００１４】
本発明に係る請求項１記載の面状光源装置は、２つの主面のそれぞれが、光を出射する出射面と、該出射面とは反対側の反射面とを構成する平板状の導光板と、前記導光板の少なくとも１つの側面上に配設された点状光源とを備え、前記点状光源が配設される前記少なくとも１つの側面が、光の入射面を構成し、前記点状光源は、ブロック状の本体部に光源が収納され、前記本体部の１つの面が、前記光源の発光部が露出する発光面を構成し、前記発光面の一辺から、前記発光面に対して垂直な方向に突出する第１の庇状部を少なくとも有し、前記発光面が前記入射面に対面するように前記点状光源が配置された状態で、前記出射面または前記反射面に前記第１の庇状部の主面が接する。
【００１５】
本発明に係る請求項５記載の面状光源装置は、２つの主面のそれぞれが、光を出射する出射面と、該出射面とは反対側の反射面とを構成する平板状の導光板と、前記導光板の少なくとも１つの側面上に配設された点状光源とを備え、前記点状光源が配設される前記少なくとも１つの側面が、光の入射面を構成し、前記点状光源は、ブロック状の本体部に光源が収納され、前記本体部の１つの面が、前記光源の発光部が露出する発光面を構成し、前記発光面の対となった二辺から、それぞれ前記発光面に平行な方向に延在するように突出する平板状の第１および第２の切片部を有し、前記導光板は、前記入射面から垂直に突出する第１および第２の凸部を有し、前記発光面が前記入射面に対面するように前記点状光源を配置することで、前記第１および第２の切片部が、前記第１および第２の凸部に係合する。
【発明の効果】
【００１６】
本発明に係る請求項１記載の面状光源装置によれば、発光面が入射面に対面するように点状光源が配置された状態で、出射面または反射面に第１の庇状部の主面が接するので、導光板の反りに起因する点状光源と導光板との位置ずれを抑制でき、また、点状光源から出射した光のほぼ全てを導光板の入射面に入射することができるので、点状光源からの光を効率良く利用して、面状光源装置の輝度の低下や、出射面内での輝度のばらつきを抑制できる。
【００１７】
本発明に係る請求項５記載の面状光源装置によれば、発光面が入射面に対面するように点状光源を配置することで、第１および第２の切片部が、第１および第２の凸部に係合するので、点状光源の位置決めが容易であるとともに、点状光源と導光板との位置ずれが発生せず、組み立て性に優れた面状光源装置を得ることができる。また、点状光源の移動が規制されるので、導光板の反りに起因する点状光源と導光板との位置ずれを抑制でき、点状光源からの光を効率良く利用して、面状光源装置の輝度の低下や、出射面内での輝度のばらつきを抑制できる。
【発明を実施するための最良の形態】
【００１８】
＜Ａ．実施の形態１＞
＜Ａ−１．装置構成＞
本発明に係る面状光源装置の実施の形態１について、図１〜図１４を用いて説明する。
【００１９】
図１は本実施の形態に係る面状光源装置２００を備えた液晶表示装置１００の構成を示す斜視図である。また、図２は面状光源装置２００の構成を示す斜視図であり、図３は、図２に示す面状光源装置２００のＡ−Ａ線での矢視方向断面図である。
【００２０】
図１に示すように、液晶表示装置１００は、液晶パネル３００と、当該液晶パネル３００の背面側に配設された面状光源装置２００とを備えている。
【００２１】
面状光源装置２００は、導光板１と、導光板１の４つの側面のうち、少なくとも１つの側面上に取り付けられた複数の点状光源２と、点状光源２が取り付けられた状態の導光板１を収納する筐体５と、導光板１の液晶パネル３００に対面される側の主面（出射面）上を覆うように配設される光学シート３と、導光板１の液晶パネル３００とは反対側の主面（反射面）上を覆うように配設される反射シート４とを備えている。
【００２２】
導光板１は透明なアクリル樹脂等で構成されており、図３に示すように、点状光源２が取り付けられる側面であって、点状光源２からの光が入射する入射面６と、液晶パネル３００に対面される側の主面であって、入射した光が出射する出射面７とを有している。
【００２３】
典型的には、出射面７または出射面７とは反対側の主面である反射面７１にドットパターンやプリズム構造が形成されており、それらの存在により、入射面６から入射した光が散乱を受けて広がり、出射に際しては出射面７のほぼ全面から出射することになる。
【００２４】
また、光学シート３は、導光板１の出射面７から出射される光の進行方向を、液晶パネル３００の表示面法線方向に近付けるように変更させて、輝度を向上させる機能を有している。
【００２５】
点状光源２は、図示しないＦＰＣ（Flexible Printed Circuit）上に実装され、ＦＰＣを介して電力を供給される構成となっている。なお、点状光源２の光源としては、発光方向（光の出射方向）が実装面に対して略水平であるサイドビュータイブの白色ＬＥＤを用いる。
【００２６】
点状光源２から出射された光は導光板１の側面から入射し、導光板１内を伝播して出射面７から出射する。このとき、導光板１の反射面７１は反射シート４で覆われているので、導光板１の反射面７１に向けて伝播する光は、反射シート４により出射面７の方向に反射される。
【００２７】
上記のような構成を有する面状光源装置２００の出射面７側には、図１に示すように、面状光源装置２００全体を覆うように液晶パネル３００が配設され、出射面７から出射される光が光学シート３を介して液晶パネル３００に入射し、液晶パネルに均一な光が供給されることになる。
【００２８】
光学シート３としては、拡散シート、プリズムシートおよび偏光反射シート等の中から、何れか１つ、または何れかを組み合わせて用いることができる。なお、光学シート３は必須の構成ではなく、使用しない場合もある。
【００２９】
また、反射シート４は反射率の高いものが好ましいことは言うまでもなく、また、図３では筐体５の下側に反射シート４を配役しているが、これに限定されるものではなく、筐体５に内に収納される構成であっても良い。
【００３０】
また、筐体５としてはポリカーボネート（ＰＣ）やＡＢＳ（Acrylonitrile Butadiene Styrene）などの合成樹脂で構成することが一般的であるが、筐体５に高反射率材料を用いたり、白色の塗料等を塗布することによって、光源から出射される光の損失を少なくする構成としても良い。
【００３１】
なお、液晶パネル３００には、図示しないＦＰＣ（Flexible Printed Circuit）やＴＣＰ（Tape Carrier Package）などを介して映像信号が入力され、液晶パネル３００に供給された光は、当該映像信号に応じて変調され、Ｒ（赤）、Ｇ（緑）、Ｂ（青）のカラーフィルタを介して、複数の色を表示する。
【００３２】
次に、図３および図４を用いて、点状光源２の構成について説明する。
図４は点状光源２の構成を示す斜視図であり、図４に示すように、点状光源２はブロック状の本体部８の内部にＬＥＤが収納され、当該本体部８の１つの面にＬＥＤの発光部９が露出しており、当該面を発光面９１と呼称する。そして、発光面９１の一辺においては、発光面９１に対して垂直な方向に庇状部８０が突出する構成となっている。
【００３３】
庇状部８０は、図３に示すように発光面９１が導光板１の入射面６に対面するように配置した状態で、導光板１の出射面７に庇状部８０の主面が接するように構成されている。なお、庇状部８０が突出する発光面９１の一辺を、発光面９１の上辺と呼称する。
【００３４】
また、図３に示すように、導光板１の入射面６に沿って複数の点状光源２が配設された状態で、点状光源２と導光板１とが枠体状の筐体５の内部に配設される。
【００３５】
庇状部８０が導光板１の出射面７上に係合することで、導光板１に反りなどの変形が生じた場合でも、点状光源２の発光面９１と導光板１の入射面６との位置ずれが抑制でき、万が一、位置ずれが生じた場合でも、庇状部８０の存在により洩れた光が反射され、導光板１の入射面６に洩れた光を導くことができる。
【００３６】
なお、庇状部８０は高反射率（可視光領域の反射率として９０％以上、望ましくは９５％以上）を有する材料で構成しても良いし、塗装や蒸着による高反射処理を施しても良い。ここで、本体部８と庇状部８０とは一体で形成されるので、本体部８の材質（樹脂、セラミックス、アルミニウム等）によって庇状部８０の材質が規定されることになる。
【００３７】
また、導光板１はアクリル樹脂の他、ポリカーボネートやシクロオレフイン系樹脂で形成することも可能である。ポリカーボネートやシクロオレフイン系樹脂を使用することにより、温度変化による寸法変化が少なくなり、より広い温度範囲での使用が可能となる。
【００３８】
＜Ａ−２．効果＞
以上説明したように、実施の形態１に係る面状光源装置によれば、点状光源２が導光板１の出射面７上に係合する庇状部８０を有するので、導光板１の反りに起因する点状光源２と導光板１との位置ずれを抑制でき、また、点状光源２から出射した光のほぼ全てを導光板１の入射面６に入射することができるので、点状光源２からの光を効率良く利用して、面状光源装置２００の輝度の低下や、出射面７内での輝度のばらつきを抑制できる。
【００３９】
なお、複数の点状光源２は、先に説明したように、ＦＰＣ上に実装された状態で導光板１の入射面６に沿って配置されるので、点状光源２が個々に位置ずれを起こしたり、脱落することはなく、また導光板１が多少反るような場合でも、その反りに追随することができ、点状光源２と導光板１との位置ずれを抑制できるが、庇状部８０は、導光板１の反りがさらに大きくなるような場合に、特に有効である。
【００４０】
また、庇状部８０を導光板１に両面テープ等で固定すれば、点状光源２と導光板１との位置ずれをさらに一層抑制できる。
【００４１】
＜Ａ−３．変形例１＞
以上説明した実施の形態１に係る面状光源装置２００においては、導光板１の出射面７のうち、点状光源２の庇状部８０が係合する部分も、他の部分と同じ平面上の部分であるので、図３に示すように、庇状部８０が係合すると、その厚み分（１ｍｍ以下、望ましくは０．５ｍｍ以下）だけ庇状部８０が出射面７から突出する構成となっていた。このため、導光板１と光学シート３との間に庇状部８０の厚みに相当する隙間が生じる可能性があった。
【００４２】
しかし、図５に示す面状光源装置２０１のように、導光板１の出射面７の端縁部に、凹部１０を設け、当該凹部１０に庇状部８０を係合させる構成を採ることで、上記隙間の発生を防止する構成としても良い。この場合、凹部１０の窪みの深さは庇状部８０の厚さ以上に設定することで、庇状部８０が凹部１０内に完全に収納され、出射面７から庇状部８０が突出することがない。このため、導光板１と光学シート３との間に隙間が生じる可能性が低減し、点状光源２からの出射光のうち、導光板１の入射面６に入射せずに伝播する光が、導光板１と光学シート３との隙間に入射するということがないので、表示品位の低下を抑制することができる。
【００４３】
また、出射面７から庇状部８０が突出しない分だけ、面状光源装置２０１の厚さを薄くできる。
【００４４】
なお、凹部１０は、点状光源２が取り付けられる入射面６の延在方向に沿って連続的に設けても良く、点状光源２の入射面６への取り付け位置を予め決めておき、当該取り付け位置に対応する部分の出射面７に、局所的に設けても良い。
【００４５】
＜Ａ−４．変形例２＞
実施の形態１に係る面状光源装置２００においては、導光板１の出射面７に点状光源２の庇状部８０が係合する構成を示したが、図６に示す面状光源装置２０２のように、導光板１の出射面７および出射面７とは反対側の反射面７１に、点状光源２１に設けられた庇状部８０ａおよび８０ｂがそれぞれ係合する構成を採っても良い。
【００４６】
図７に点状光源２１の構成を斜視図で示す。図７に示すように、点状光源２１は図４を用いて説明した点状光源２１と基本的には同様の構成を有し、発光面９１の対になった二辺において、それぞれ庇状部８０ａおよび８０ｂが突出する構成となっている。
【００４７】
そして、庇状部８０ａは、図６に示すように発光面９１が導光板１の入射面６に対面するように配置した状態で、導光板１の出射面７に庇状部８０ａの主面が接するように構成され、庇状部８０ｂは、図６に示すように発光面９１が導光板１の入射面６に接触するように配置した状態で、導光板１の反射面７１に庇状部８０ｂの主面が接するように構成されている。
【００４８】
なお、庇状部８０ａおよび８０ｂが突出する発光面９１の二辺を、それぞれ発光面９１の上辺および下辺と呼称する。
【００４９】
このように、導光板１の出射面７および反射面７１に、点状光源２１に設けられた庇状部８０ａおよび８０ｂがそれぞれ係合する構成を採ることで、点状光源２１を導光板１に強固に保持させることが可能になり、点状光源２１と導光板１との位置ずれを抑制できる。
【００５０】
また、点状光源２１から出射した光のほぼ全てを導光板１の入射面６に入射することができるので、点状光源２１からの光を効率良く利用して、面状光源装置２０２の輝度の低下や、出射面７内での輝度のばらつきを抑制できる。
【００５１】
＜Ａ−５．変形例３＞
以上説明した面状光源装置２０２においては、導光板１の出射面７および反射面７１のうち、点状光源２１の庇状部８０ａおよび８０ｂが係合する部分も、他の部分と同じ平面上の部分であるので、図６に示すように、庇状部８０ａが出射面７に係合すると、その厚み分だけ庇状部８０ａが出射面７から突出し、庇状部８０ｂが反射面７１に係合すると、その厚み分だけ庇状部８０ｂが反射面７１から突出する構成となっていた。
【００５２】
このため、導光板１と光学シート３との間に庇状部８０ａの厚みに相当する隙間が生じ、導光板１と反射シート４との間に庇状部８０ｂの厚みに相当する隙間が生じる可能性があった。
【００５３】
しかし、図８に示す面状光源装置２０３のように、導光板１の出射面７の端縁部に、凹部１０ａを設け、当該凹部１０ａに庇状部８０ａを係合させ、また、反射面７１の端縁部に、凹部１０ｂを設け、当該凹部１０ｂに庇状部８０ｂを係合させる構成を採ることで、上記隙間の発生を防止する構成としても良い。
【００５４】
この場合、凹部１０ａおよび１０ｂの窪みの深さは、それぞれ庇状部８０ａおよび８０ｂの厚さ以上に設定することで、庇状部８０ａおよび８０ｂが、それぞれ凹部１０ａおよび１０ｂ内に完全に収納され、出射面７および反射面７１から、庇状部８０ａおよび８０ｂが突出することがない。
【００５５】
このため、導光板１と光学シート３との間、および導光板１と反射シート４との間に隙間が生じる可能性が低減し、点状光源２１からの出射光のうち、導光板１の入射面６に入射せずに伝播する光が、導光板１と光学シート３との隙間や、導光板１と反射シート４との間の隙間に入射するということがないので、表示品位の低下を抑制することができる。
【００５６】
また、出射面７および反射面７１から、それぞれ庇状部８０ａおよび８０ｂが突出しない分だけ、面状光源装置２０３の厚さを薄くできる。
【００５７】
なお、凹部１０ａおよび１０ｂは、点状光源２１が取り付けられる入射面６の延在方向に沿って連続的に設けても良く、点状光源２１の入射面６への取り付け位置を予め決めておき、当該取り付け位置に対応する部分の出射面７および反射面７１に、局所的に設けても良い。
【００５８】
＜Ａ−６．変形例４＞
図３を用いて説明した面状光源装置２００および、図５を用いて説明した面状光源装置２０１においては、導光板１の出射面７に点状光源２の庇状部８０が係合するものとして説明したが、庇状部８０が係合するのは導光板１の出射面７に限定されるものではなく、反射面７１に係合しても良い。
【００５９】
すなわち、図９に示す面状光源装置２０４においては、導光板１の反射面７１に庇状部８０の主面が接するように構成されている。ここでは、点状光源２を面状光源装置２００に適用する場合とは上下逆転させて使用しているが、ＦＰＣとの接続の関係で単純に逆転させることができない場合には、面状光源装置２０４への適用に対応するように、発光面９１の一辺（下辺）から庇状部８０が突出するような点状光源を作成すれば良い。
【００６０】
このような構成を採ることで、面状光源装置２０４においても、導光板１の反りに起因する点状光源２と導光板１との位置ずれを抑制でき、また、点状光源２から出射した光のほぼ全てを導光板１の入射面６に入射することができるので、点状光源２からの光を効率良く利用して、面状光源装置２０４の輝度の低下や、出射面７内での輝度のばらつきを抑制できる。
【００６１】
＜Ａ−７．変形例５＞
以上説明した面状光源装置２０４においては、導光板１の反射面７１のうち、点状光源２の庇状部８０が係合する部分も、他の部分と同じ平面上の部分であるので、図９に示すように、庇状部８０が係合すると、その厚み分（１ｍｍ以下、望ましくは０．５ｍｍ以下）だけ庇状部８０が反射面７１から突出する構成となっていた。このため、導光板１と反射シート４との間に庇状部８０の厚みに相当する隙間が生じる可能性があった。
【００６２】
しかし、図１０に示す面状光源装置２０５のように、導光板１の反射面７１の端縁部に、凹部１０を設け、当該凹部１０に庇状部８０を係合させる構成を採ることで、上記隙間の発生を防止する構成としても良い。この場合、凹部１０の窪みの深さは庇状部８０の厚さ以上に設定することで、庇状部８０が凹部１０内に完全に収納され、反射面７１から庇状部８０が突出することがない。このため、導光板１と反射シート４との間に隙間が生じる可能性が低減し、点状光源２からの出射光のうち、導光板１の入射面６に入射せずに伝播する光が、導光板１と反射シート４との隙間に入射するということがないので、表示品位の低下を抑制することができる。
【００６３】
また、反射面７１から庇状部８０が突出しない分だけ、面状光源装置２０５の厚さを薄くできる。
【００６４】
なお、凹部１０は、点状光源２が取り付けられる入射面６の延在方向に沿って連続的に設けても良く、点状光源２の入射面６への取り付け位置を予め決めておき、当該取り付け位置に対応する部分の反射面７１に、局所的に設けても良い。
【００６５】
＜Ｂ．実施の形態２＞
＜Ｂ−１．装置構成＞
本発明に係る面状光源装置の実施の形態２として、図１１および図１２を用いて面状光源装置２００Ａの構成について説明する。
【００６６】
なお、面状光源装置２００Ａは、基本的な構成は図２を用いて説明した面状光源装置２００と同じであり、図２に示した面状光源装置２００と同一の構成については図示および重複する説明を省略するものとし、図１１には、面状光源装置２００Ａの導光板１の部分斜視図を示す。
【００６７】
図１１は、導光板１を入射面６側から見た場合の、点状光源２Ａ近傍の構成を示す斜視図であり、図１１に示すように、導光板１の入射面６には、当該入射面６から垂直に突出する円柱状の凸部２０ａおよび２０ｂが、入射面６の延在方向に沿って間隔を開けて突出している。
【００６８】
図１２は、点状光源２Ａの構成を示す斜視図であり、図１２に示すように、点状光源２Ａはブロック状の本体部８の内部にＬＥＤが収納され、当該本体部８の１つの面にＬＥＤの発光部９が露出している。なお、当該面を発光面９１と呼称する。
【００６９】
そして、発光面９１の対となった二辺からは、それぞれ発光面９１に平行な方向に延在するように平板状の切片部８１ａおよび８１ｂが突出する構成となっている。なお、切片部８１ａおよび８１ｂが突出する発光面９１の二辺を、それぞれ発光面９１の左辺および右辺と呼称する。ここで、本体部８と切片部８１ａおよび８１ｂとは一体で形成されるので、本体部８の材質によって切片部８１ａおよび８１ｂの材質が規定されることになる。
【００７０】
図１１に示すように、発光面９１が導光板１の入射面６に対面するように点状光源２Ａを取り付けた状態では、切片部８１ａおよび８１ｂが入射面６に接するように構成されている。
【００７１】
切片部８１ａおよび８１ｂには、それぞれ切片部８１ａおよび８１ｂを厚み方向に貫通する貫通孔３０ａおよび３０ｂが設けられており、入射面６に点状光源２Ａを取り付ける際には、貫通孔３０ａおよび３０ｂに、それぞれ凸部２０ａおよび２０ｂが挿入されるように取り付ける。
【００７２】
なお、貫通孔３０ａおよび３０ｂの直径は、それぞれ凸部２０ａおよび２０ｂの直径とほぼ同じ大きさか、それよりもやや大きく設定されているため、貫通孔３０ａおよび３０ｂに、凸部２０ａおよび２０ｂを挿入することで、点状光源２Ａを入射面６上に固定することができる。これにより、点状光源２Ａに位置ずれ発生せず、かつ、容易に入射面６上に取り付けることができる。
【００７３】
なお、導光板１に設けられた凸部２０ａおよび２０ｂの形状は、円柱状に限定されるものではなく、また、点状光源２Ａの切片部８１ａおよび８１ｂに設ける貫通孔３０ａおよび３０ｂの形状も円形状に限定されるものではなく、凸部２０ａおよび２０ｂの形状に合わせて設定すれば良い。
【００７４】
＜Ｂ−２．効果＞
以上説明したように、実施の形態２に係る面状光源装置によれば、点状光源２Ａの切片部８１ａおよび８１ｂにそれぞれ設けた貫通孔３０ａおよび３０ｂに、導光板１の入射面６に設けた凸部２０ａおよび２０ｂを挿入することで、点状光源２Ａを入射面６上に固定することができるので、点状光源２Ａの位置決めが容易であるとともに、点状光源２Ａと導光板１との位置ずれが発生せず、組み立て性に優れた面状光源装置２００Ａを得ることができる。
【００７５】
また、点状光源２Ａが入射面６上に固定されるので、導光板１の反りに起因する点状光源２Ａと導光板１との位置ずれを抑制でき、点状光源２Ａからの光を効率良く利用して、面状光源装置２００Ａの輝度の低下や、出射面７内での輝度のばらつきを抑制できる。
【００７６】
＜Ｂ−３．変形例１＞
以上説明した実施の形態２に係る面状光源装置２００Ａにおいては、導光板１の入射面６に設けた凸部２０ａおよび２０ｂを、点状光源２Ａの切片部８１ａおよび８１ｂにそれぞれ設けた貫通孔３０ａおよび３０ｂに挿入することで、点状光源２Ａを固定する構成を示したが、先に説明したように、複数の点状光源は、ＦＰＣ上に実装された状態で導光板１の入射面６に沿って配置されるので、点状光源の位置ずれの発生は、ある程度規制されている。
【００７７】
従って、面状光源装置２００Ａの凸部２０ａおよび２０ｂのように、点状光源を完全に固定する構成でなくても、もう少し簡単な構成で有効に位置ずれを防止できる。
【００７８】
例えば、図１３に示す面状光源装置２００Ｂのように、点状光源２Ｂの位置が、入射面６の延在方向（Ｘ方向）にずれることを防止するために、点状光源２Ｂをブロック状の凸部２１ａおよび２１ｂで挟む構成としても良い。
【００７９】
すなわち、図１３は、導光板１を入射面６側から見た場合の、点状光源２Ｂ近傍の構成を示す斜視図であり、図１３に示すように、導光板１の入射面６には、当該入射面６から垂直に突出するブロック状の凸部２１ａおよび２１ｂが、入射面６の延在方向に沿って間隔を開けて形成されている。なお、凸部２１ａおよび２１ｂは、入射面６の出射面７側寄り、すなわち導光板１の厚さ方向上側寄りの位置に形成されている。
【００８０】
図１４は、点状光源２Ｂの構成を示す斜視図であり、図１４に示すように、点状光源２Ｂはブロック状の本体部８の内部にＬＥＤが収納され、当該本体部８の１つの面にＬＥＤの発光部９が露出している。なお、当該面を発光面９１と呼称する。
【００８１】
そして、発光面９１の対となった二辺からは、それぞれ発光面９１に平行な方向に延在するように平板状の切片部８２ａおよび８２ｂが突出する構成となっている。なお、切片部８２ａおよび８２ｂが突出する発光面９１の二辺を、それぞれ発光面９１の右辺および左辺と呼称する。ここで、本体部８と切片部８２ａおよび８２ｂとは一体で形成されるので、本体部８の材質によって切片部８２ａおよび８２ｂの材質が規定されることになる。
【００８２】
なお、切片部８２ａおよび８２ｂは、それぞれ発光面９１の右辺および左辺の一部から突出しており、その突出位置は右辺および左辺で、同じ位置である。
【００８３】
図１３に示すように、発光面９１が導光板１の入射面６に対面するように点状光源２Ｂを取り付けると、本体部８が凸部２１ａと２１ｂとの間に挟まれ、点状光源２ＢのＸ方向への位置ずれが規制されるとともに、切片部８２ａおよび８２ｂの側面が、それぞれ凸部２１ａおよび２１ｂの側面に当接し、点状光源２Ｂの位置が、導光板１の厚さ方向（Ｙ方向）上側にずれることが規制されることになる。
【００８４】
また、凸部２１ａおよび２１ｂの突出間隔を、点状光源２Ｂの本体部８の幅より多少広く設定し、点状光源２Ｂの取り付けに際して、本体部８と凸部２１ａおよび２１ｂとが強く擦れないようにすることで、異物の発生を伴うことなく取り付けを行うことができるとともに、組み立て性を向上することができる。
【００８５】
＜Ｂ−４．変形例２＞
また、点状光源を完全に固定せずに、簡単な構成で有効に位置ずれを防止する構成としては、例えば、図１５に示す面状光源装置２００Ｃのように、点状光源２Ｃの位置が、入射面６の延在方向（Ｘ方向）にずれることを防止するために、点状光源２Ｃをブロック状の凸部２２ａおよび２２ｂで挟む構成としても良い。
【００８６】
すなわち、図１５は、導光板１を入射面６側から見た場合の、点状光源２Ｃ近傍の構成を示す斜視図であり、図１５に示すように、導光板１の入射面６には、当該入射面６から垂直に突出するブロック状の凸部２２ａおよび２２ｂが、入射面６の延在方向に沿って間隔を開けて形成されている。なお、凸部２２ａは、入射面６の出射面７側寄り、すなわち導光板１の厚さ方向上側寄りの位置に形成され、凸部２２ｂは、入射面６の反射面７１側寄り、すなわち導光板１の厚さ方向下側寄りの位置に形成され、凸部２２ａおよび２２ｂは、互い違いに配置されている。
【００８７】
図１６は、点状光源２Ｃの構成を示す斜視図であり、図１６に示すように、点状光源２Ｃはブロック状の本体部８の内部にＬＥＤが収納され、当該本体部８の１つの面にＬＥＤの発光部９が露出している。なお、当該面を発光面９１と呼称する。
【００８８】
そして、発光面９１の対となった二辺からは、それぞれ発光面９１に平行な方向に延在するように平板状の切片部８３ａおよび８３ｂが突出する構成となっている。なお、切片部８３ａおよび８３ｂが突出する発光面９１の二辺を、それぞれ発光面９１の左辺および右辺と呼称する。ここで、本体部８と切片部８３ａおよび８３ｂとは一体で形成されるので、本体部８の材質によって切片部８３ａおよび８３ｂの材質が規定されることになる。
【００８９】
そして、切片部８３ａおよび８３ｂは、それぞれ発光面９１の左辺および右辺の一部から突出しており、その突出位置は左辺および右辺で、互い違いとなっている。
【００９０】
図１５に示すように、発光面９１が導光板１の入射面６に対面するように点状光源２Ｃを取り付けると、本体部８が凸部２２ａと２２ｂとの間に挟まれ、点状光源２ＣのＸ方向への位置ずれが規制されるとともに、切片部８３ａおよび８３ｂの側面が、それぞれ凸部２２ａおよび２２ｂの側面に当接し、点状光源２Ｃの位置が、導光板１の厚さ方向（Ｙ方向）上下側にずれることが規制されることになる。
【００９１】
また、凸部２２ａおよび２２ｂの配設間隔を、点状光源２Ｃの本体部８の幅より多少広く設定し、点状光源２Ｃの取り付けに際して、本体部８と凸部２２ａおよび２２ｂとが強く擦れないようにすることで、異物の発生を伴うことなく取り付けを行うことができるとともに、組み立て性を向上することができる。
【図面の簡単な説明】
【００９２】
【図１】本発明に係る実施の形態１の面状光源装置を備えた液晶表示装置の構成を示す斜視図である。
【図２】本発明に係る実施の形態１の面状光源装置の構成を示す斜視図である。
【図３】本発明に係る実施の形態１の面状光源装置の構成を示す部分断面図である。
【図４】本発明に係る実施の形態１の面状光源装置の点状光源の構成を示す斜視図である。
【図５】本発明に係る実施の形態１の面状光源装置の変形例１の構成を示す部分断面図である。
【図６】本発明に係る実施の形態１の面状光源装置の変形例２の構成を示す部分断面図である。
【図７】本発明に係る実施の形態１の面状光源装置の変形例２の点状光源の構成を示す斜視図である。
【図８】本発明に係る実施の形態１の面状光源装置の変形例２の構成を示す部分断面図である。
【図９】本発明に係る実施の形態１の面状光源装置の変形例３の構成を示す部分断面図である。
【図１０】本発明に係る実施の形態１の面状光源装置の変形例４の構成を示す部分断面図である。
【図１１】本発明に係る実施の形態２の面状光源装置の構成を示す部分斜視図である。
【図１２】本発明に係る実施の形態２の面状光源装置の点状光源の構成を示す斜視図である。
【図１３】本発明に係る実施の形態２の変形例１の面状光源装置の構成を示す部分斜視図である。
【図１４】本発明に係る実施の形態２の変形例１の面状光源装置の点状光源の構成を示す斜視図である。
【図１５】本発明に係る実施の形態２の変形例２の面状光源装置の構成を示す部分斜視図である。
【図１６】本発明に係る実施の形態２の変形例２の面状光源装置の点状光源の構成を示す斜視図である。
【符号の説明】
【００９３】
１  導光板、２，２１，２２，２Ａ，２Ｂ  点状光源、６  入射面、７  出射面、８  本体部、９  発光部、１０，１０ａ，１０ｂ  凹部、２０ａ，２０ｂ，２１ａ，２１ｂ，２２ａ，２２ｂ  凸部、３０ａ，３０ｂ  貫通孔、７１  反射面、８０，８０ａ，８０ｂ  庇状部、８１ａ，８１ｂ，８２ａ，８２ｂ，８３ａ，８３ｂ，９１  発光面。
【図１】
2007329073.tif 000003
【図２】
2007329073.tif 000004
【図３】
2007329073.tif 000005
【図４】
2007329073.tif 000006
【図５】
2007329073.tif 000007
【図６】
2007329073.tif 000008
【図７】
2007329073.tif 000009
【図８】
2007329073.tif 000010
【図９】
2007329073.tif 000011
【図１０】
2007329073.tif 000012
【図１１】
2007329073.tif 000013
【図１２】
2007329073.tif 000014
【図１３】
2007329073.tif 000015
【図１４】
2007329073.tif 000016
【図１５】
2007329073.tif 000017
【図１６】
2007329073.tif 000018